(57)【要約】【課題】プラズマ表示装置の白表示輝度および明所コントラストを同時に向上させ良質な画像を得る。【解決手段】プラズマ表示パネル３８は、前面に所定の距離ｄを置いて配置された光学的反射・吸収フィルタ４０を有する。この光学的反射・吸収フィルタ４０は透明な基板４２の裏面上に島状パターンの可視光吸収層４４と可視光反射層４６、および保護被膜５０を順次形成し構成したものである。外光源からの入射光を前記可視光吸収層４４で吸収し、放電によって発生する可視光を前記可視光反射層と蛍光体層間で反射させることによって外部に有効に取り出すことができる。この２層構造の島状パターンの開口率を最適に設定することによって、白表示輝度と明所コントラストとを同時に大幅に向上できる。【選択図】図１
2006030844.tif 000002
【特許請求の範囲】
【請求項１】
透明な前面基板に少なくとも横方向に延び縦方向に並設し放電間隙を構成した走査電極と維持電極からなる複数の表示電極と、前記表示電極を被覆する誘電体層と、前記誘電体層を覆う保護層とを順次形成した前面パネルと、
背面基板上に、少なくとも縦方向に延び横方向に並設した複数のアドレス電極と、前記アドレス電極を覆うように形成した下地誘電体層と、前記下地誘電体層上でかつ前記各アドレス電極の横方向の少なくとも両端位置に配置した隔壁と、隔壁内の前記下地誘電体層上に形成した蛍光体層とを有する背面パネルとを放電空間を介して接合し前記アドレス電極と前記表示電極の交差する位置に放電セルを構成し，
放電セル内において少なくとも前記アドレス電極および表示電極間、走査電極および維持電極間で放電させて情報を表示するプラズマ表示パネルであって、
前記プラズマ表示パネルは，前面基板上に，開口部と非開口部とを有する可視光吸収層，可視光反射層および保護被膜とを有し前記前面基板の表面に配設した光学的反射・吸収フィルタとをさらに具備したことを特徴とするプラズマ表示装置。
【請求項２】
透明な前面基板の表面上に開口部と非開口部とを有する可視光反射層，可視光吸収層および透明な保護被膜とを形成して光学的反射・吸収フィルタを一体的に構成したことを特徴とする請求項１記載のプラズマ表示装置。
【請求項３】
前記光学的反射・吸収フィルタの前面に，多機能光学フィルタを具備たことを特徴とする請求項１又は２に記載のプラズマ表示装置。
【請求項４】
前記多機能光学フィルタは，反射防止、色補正、電磁波遮蔽、近赤外線防止の機能を少なくとも１つを有することを特徴とする請求項３記載のプラズマ表示装置。
【請求項５】
可視光吸収層は、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）の酸化物や化合物、炭素、黒色微粒子を分散させた有機物質材料、黒色微粒子を分散させたガラスから選ばれた材料を含むことを特徴とする請求項１から請求項４のいずれかに記載のプラズマ表示装置。
【請求項６】
前記可視光反射層は、金（Ａｕ）、銀（Ａｇ）、銅（Ｃｕ）、錫（Ｓｎ）、クロム（Ｃｒ）、アルミニウム（Ａｌ）、チタン（Ｔｉ）、シリコン（Ｓｉ）、モリブデン（Ｍｏ）およびそれらの合金よりなる金属材料、酸化チタン（ＴｉＯ２）、酸化バリウム（ＢａＯ）、酸化亜鉛（ＺｎＯ）、酸化アルミニウム（Ａｌ２Ｏ３）、酸化鉛（ＰｂＯ２）、酸化マグネシウム（Ｍｇ２Ｏ）のうちの少なくとも１種以上を含む白色金属酸化物粒子や光散乱性の優れた粒子を分散させた有機樹脂あるいはガラスから選ばれた材料を含むことを特徴とする請求項１から請求項４のいずれかに記載のプラズマ表示装置。
【請求項７】
前記光学的反射・吸収フィルタの開口率が、１５％から２９％の範囲にあることを特徴とする請求項１または請求項２に記載のプラズマ表示装置。
【請求項８】
前記多機能光学フィルタの透過率ｂ’が３０％以上であり、かつ前記光学的反射・吸収フィルタの開口率が、０．１２２×１００／（ｂ’−０．１７９）から０．３×１００／ｂ’％の範囲にあることを特徴とする請求項３または請求項４に記載のプラズマ表示装置。
【請求項９】
前記光学的反射・吸収フィルタの前記非開口部の平面形状が島状であることを特徴とする請求項１から請求項４のいずれかに記載のプラズマ表示装置。
【請求項１０】
前記光学的反射・吸収フィルタの前記非開口部の平面形状がメッシュ状であることを特徴とする請求項１から請求項４のいずれかに記載のプラズマ表示装置。
【請求項１１】
前記光学的反射・吸収フィルタの前記非開口部の平面形状がストライプ状であることを特徴とする請求項１から請求項４のいずれかに記載のプラズマ表示装置。
【請求項１２】
前記光学的反射・吸収フィルタの前記開口部の幅あるいは直径の寸法が放電セルの５０％以下であることを特徴とする請求項１０または請求項１１に記載のプラズマ表示装置。
【請求項１３】
前記光学的反射・吸収フィルタは，前面基板の表面に概ね平行に所定の距離を置いて配設されることを特徴とする請求項１〜１２の何れかに記載のプラズマ表示装置。
【発明の詳細な説明】
【技術分野】
【０００１】
本発明は、光学的反射・吸収フィルタおよびそれを用いたプラズマ表示装置に関する。
【背景技術】
【０００２】
近年、プラズマ表示パネルを用いた表示装置が、大画面、薄型、軽量の表示装置として、ディジタルテレビや情報表示装置などに実用化されている。このプラズマ表示パネル（ＰＤＰ）とは、２枚のガラス基板間に放電ガスを封入し、蛍光体を設けたマトリックス状の複数の微小放電空間を配設し、その微小放電空間のガス放電によって発生する紫外線により蛍光体を励起し、それにより発生する可視光を情報の表示に利用するものである。例えば、図１３は、ＰＤＰの前面に所定の距離をおいて配置した光学フィルタを有するプラズマ表示装置において、この光学フィルタとＰＤＰ中の１つの放電セルとの断面図を示すものである。透明な前面基板の裏面上に放電間隔を有する複数の主として透明な表示電極（図示せず）と、この表示電極を覆うように形成された誘電体層（図示せず）と、この誘電体層上に形成されたＭｇＯからなる保護膜（図示せず）が順次形成されて前面パネル８００を構成している。
【０００３】
背面パネル８０２では、ガラスからなる背面基板８０４上にデータを書き込むアドレス電極８０６、下地誘電体層８０８、縦方向（背面基板に対して垂直方向）に延びる隔壁８１０、蛍光体層８１２が形成されている。前面パネル８００中の上記表示電極と前記隔壁８１０間のアドレス電極８０６とは直交するように互いに対向させ、前面パネル８００と背面パネル８０２とをガラス接着して密閉している。このように構成した前面パネル８００と背面パネル８０２間の空間において、２つの隔壁で囲まれた空間に放電セル８１４が形成される。放電セル８１４内には、ネオン（Ｎｅ）とキセノン（Ｘｅ）の混合ガスが放電ガスとして充填されている。このように構成したＰＤＰでは、多数の放電セルからなる表示画面の指定された放電セルにデータを書き込むため、対応する放電セルのアドレス電極と表示電極とに電圧を印加して放電を生じさせ、さらに表示電極の放電間隙での放電を生じさせて信号を表示させる。このようにしてＰＤＰ８１６が構成される。
【０００４】
このように構成されたＰＤＰ８１６の前面には、透明あるいは色つきの基板８１８上に反射防止膜８２０や外部からの接触による傷を防止するハード層（図示せず）などが形成された光学フィルタが所定の空間を置いて配置される。この光学フィルタは、可視光波長領域の外光を吸収あるいは乱反射させてコントラスト（明所コントラスト）を向上させる役割を有する。すなわち、外光源８２４から光学フィルタ８２２への矢印８２６で示す入射光は光学フィルタ８２２を通過して減衰した矢印８２８で示す透過光となる。さらに、この透過光が白色の蛍光体層８１２によって反射され、矢印８３０で示す反射光となり、再び光学フィルタ８２２を通過して減衰し、矢印８３２で示す外光の可視光として人間の目に受光される。一方、信号に応じて上記放電セル内で放電によって発生した紫外線が蛍光体層８１２に照射され、矢印８３４で示す発生した可視光は光学フィルタ８２２を透過して、矢印８３６で示す減衰した可視光として人間の目に受光される。上記明所コントラストとは、矢印８３２で示す可視光に対する矢印８３６で示す可視光の比で定義される。外光は光学フィルタ８２２を２度通過して大きく減衰する一方、蛍光体層８１２から発生した光は光学フィルタ８２２を１度だけ通過するという、光学フィルタの透過率を減少させることにより明所コントラストを向上させている。一方、輝度（以下、白表示輝度と表現する）は、光学フィルタの透過率の減少によって減少する（例えば、非特許文献１および非特許文献２参照）。
【０００５】
また、上記放電によって発生する電磁波や近赤外線がプラズマ表示装置の前面に放射されることを防止するため、近赤外線を減衰させることができる基板上に導電性膜や導電性のメッシュ状のフィルタを構成することが提案されている。例えば、波長８００ｎｍ〜１０００ｎｍにおける平均光線透過率が３０％以下の透明基板の少なくとも一方の面に、格子間隔が２００μｍ以下で、厚みが２０μｍ以下である格子状導電性薄膜を設けることによって電磁波や近赤外線を遮蔽することが提案されている（例えば、特許文献１参照）。
【非特許文献１】松本：“電子ディスプレイ”、オーム社、ｐｐ１０６−１０７（１９９５年７月発行）
【非特許文献２】内山、御子柴：“プラズマディスプレイのすべて”、工業調査会、ｐｐ２０８（２００２年９月発行）
【特許文献１】特開２０００−１３７４４２号公報
【発明の開示】
【発明が解決しようとする課題】
【０００６】
しかしながら、非特許文献１および非特許文献２では、明所コントラストを向上させるために透過率を低下させた光学フィルタによって、２度通過することによって光学フィルタ前面に再度現れた外光、すなわちＰＤＰからの反射光を減少できるが、一方では放電セル内で発光した可視光の白表示輝度をも大幅に減少させることになる。このように、従来の光学フィルタでは、外光と放電セル内で発光した可視光が互いに反する特性を有するため、それらの特性を同時に満足させることが困難であるという課題があった。また、特許文献１には、電磁波や近赤外線に対して効果を発揮する格子状導電性薄膜の提案が記載されているが、可視光に対して効果を有するものではない。
【０００７】
本発明は、上記課題を解決するためになされたもので、可視光の白表示輝度を向上させるとともに、明所コントラストを同時に向上させる光学的反射・吸収フィルタを具備したプラズマ表示装置を提供することを目的とする。
【課題を解決するための手段】
【０００８】
上述したような課題を解決するために、本発明のプラズマ表示装置は、透明な前面基板の背面上に少なくとも横方向に延び縦方向に並設し放電間隙を構成した走査電極と維持電極からなる複数の表示電極と、前記表示電極を被覆する誘電体層と、前記誘電体層を覆う保護層とを順次形成した前面パネルと、絶縁性の背面基板上に、少なくとも縦方向に延び横方向に並設した複数のアドレス電極と、前記アドレス電極を覆うように形成した下地誘電体層と、前記下地誘電体層上でかつ前記各アドレス電極の横方向の少なくとも両端位置に配置した隔壁と、隔壁内の前記下地誘電体層上に形成した蛍光体層とを有する背面パネルとを放電空間を介して接合し前記アドレス電極と前記表示電極の交差する位置に放電セルを構成したプラズマ表示パネルと、透明な基板上に開口部と非開口部とを有する可視光吸収層および可視光反射層、および保護被膜とを有し前記プラズマ表示パネルの表面に概ね平行に所定の距離を置いて配設した光学的反射・吸収フィルタとを具備し、前記放電セル内において少なくとも前記アドレス電極および表示電極間、走査電極および維持電極間で放電させて情報を表示する構成である。
【０００９】
このような構成によれば、外光を可視光吸収層により吸収し、放電セル内で放電により発生した可視光を可視光反射層と蛍光体層間での反射の繰り返しにより、他の材料に吸収されることなく、外部へ有効に取り出すことができる。これにより、白表示輝度および明所コントラストの優れた高画質のプラズマ表示装置を実現できる。
【００１０】
また、透明な前面基板の表面上に開口部と非開口部とを有する可視光反射層および可視光吸収層、および透明な保護被膜とを形成して光学的反射・吸収フィルタを一体的に構成し、かつ前記前面基板の裏面上には少なくとも横方向に延び縦方向に並設し放電間隙を構成した走査電極と維持電極からなる複数の表示電極と、前記表示電極を被覆する誘電体層と、前記誘電体層を覆う保護層とを順次形成した前面パネルと、絶縁性の背面基板上に、少なくとも縦方向に延び横方向に並設した複数のアドレス電極と、前記アドレス電極を覆うように形成した下地誘電体層と、前記下地誘電体層上でかつ前記各アドレス電極の横方向の少なくとも両端位置に配置した隔壁と、隔壁内の前記下地誘電体層上に形成した蛍光体層とを有する背面パネルとを、放電空間を介して接合し前記アドレス電極と前記表示電極の交差する位置に放電セルを構成したプラズマ表示パネルを具備し、放電セル内において少なくとも前記アドレス電極および表示電極間、走査電極および維持電極間で放電させて情報を表示する構成であってもよい。
【００１１】
このような構成によれば、光学的反射・吸収フィルタがＰＤＰの前面パネルと一体的に形成されるので、外光を可視光吸収層により吸収し、放電セル内で発光した可視光を可視光反射層により有効に取り出すことができる上に、放電セルと隣接する放電セルの双方で発生した可視光の間で干渉が生じにくいＰＤＰを具備した高画質のプラズマ表示装置を実現できる。
【００１２】
また、透明な前面基板の背面上に少なくとも横方向に延び縦方向に並設し放電間隙を構成した走査電極と維持電極からなる複数の表示電極と、前記表示電極を被覆する誘電体層と、前記誘電体層を覆う保護層とを順次形成した前面パネルと、絶縁性の背面基板上に、少なくとも縦方向に延び横方向に並設した複数のアドレス電極と、前記アドレス電極を覆うように形成した下地誘電体層と、前記下地誘電体層上でかつ前記各アドレス電極の横方向の少なくとも両端位置に配置した隔壁と、隔壁内の前記下地誘電体層上に形成した蛍光体層とを有する背面パネルとを放電空間を介して接合し前記アドレス電極と前記表示電極の交差する位置に放電セルを構成したプラズマ表示パネルと、透明な基板上に開口部と非開口部とを有する可視光吸収層および可視光反射層、および保護被膜とを有し前記プラズマ表示パネルの表面に概ね平行に所定の距離を置いて配設した光学的反射・吸収フィルタと、前記光学的反射・吸収フィルタの前面に配設した反射防止、色補正、電磁波遮蔽、近赤外線防止の機能を少なくとも１つ以上有する多機能光学フィルタとを具備し、前記放電セル内において少なくとも前記アドレス電極および表示電極間、走査電極および維持電極間で放電させて情報を表示する構成であってもよい。
【００１３】
このような構成によれば、反射防止、色補正、電磁波遮蔽、近赤外線防止の機能を少なくとも１つ以上有するとともに、外光を可視光吸収層により吸収し、放電セル内で放電により発生した可視光を可視光反射層と蛍光体層間での反射の繰り返しにより、他の材料に吸収されることなく、外部へ有効に取り出すことができる。これにより、白表示輝度および明所コントラストの優れた高画質のプラズマ表示装置を実現できる。
【００１４】
また、透明な前面基板の表面上に開口部と非開口部とを有する可視光反射層および可視光吸収層、および透明な保護被膜とを形成して光学的反射・吸収フィルタを一体的に構成し、かつ前記前面基板の裏面上には少なくとも横方向に延び縦方向に並設し放電間隙を構成した走査電極と維持電極からなる複数の表示電極と、前記表示電極を被覆する誘電体層と、前記誘電体層を覆う保護層とを順次形成した前面パネルと、絶縁性の背面基板上に、少なくとも縦方向に延び横方向に並設した複数のアドレス電極と、前記アドレス電極を覆うように形成した下地誘電体層と、前記下地誘電体層上でかつ前記各アドレス電極の横方向の少なくとも両端位置に配置した隔壁と、隔壁内の前記下地誘電体層上に形成した蛍光体層とを有する背面パネルとを、放電空間を介して接合し前記アドレス電極と前記表示電極の交差する位置に放電セルを構成したプラズマ表示パネルと、前記光学的反射・吸収フィルタの前面に配設した反射防止、色補正、電磁波遮蔽、近赤外線防止の機能を少なくとも１つ以上有する多機能光学フィルタとを具備し、放電セル内において少なくとも前記アドレス電極および表示電極間、走査電極および維持電極間で放電させて情報を表示する構成であってもよい。
【００１５】
このような構成によれば、反射防止、色補正、電磁波遮蔽、近赤外線防止の機能を少なくとも１つ以上有するとともに、光学的反射・吸収フィルタがＰＤＰの前面パネルと一体的に形成されるので、外光を可視光吸収層により吸収し、放電セル内で発光した可視光を可視光反射層により有効に取り出すことができる上に、放電セルと隣接する放電セルの双方で発生した可視光の間で干渉が生じにくいＰＤＰを具備した高画質のプラズマ表示装置を実現できる。
【００１６】
さらに、前記可視光吸収層が、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）の酸化物や化合物、炭素、黒色微粒子を分散させた有機物質材料、黒色微粒子を分散させたガラスから選ばれた材料である光学的反射・吸収フィルタを具備した構成であってもよい。
【００１７】
このような構成によれば、外光源からの可視光を有効に吸収し、耐熱性のある材料で構成可能な光学的反射・吸収フィルタを具備した高画質のプラズマ表示装置を実現できる。
【００１８】
また、前記可視光反射層が、金（Ａｕ）、銀（Ａｇ）、銅（Ｃｕ）、錫（Ｓｎ）、クロム（Ｃｒ）、アルミニウム（Ａｌ）、チタン（Ｔｉ）、シリコン（Ｓｉ）、モリブデン（Ｍｏ）およびそれらの合金よりなる金属材料、酸化チタン（ＴｉＯ２）、酸化バリウム（ＢａＯ）、酸化亜鉛（ＺｎＯ）、酸化アルミニウム（Ａｌ２Ｏ３）、酸化鉛（ＰｂＯ２）、酸化マグネシウム（Ｍｇ２Ｏ）のうちの少なくとも１種以上を含む白色金属酸化物粒子や光散乱性の優れた粒子を分散させた有機樹脂あるいはガラスから選ばれた材料である光学的反射・吸収フィルタを具備した構成であってもよい。
【００１９】
このような構成によれば、放電セルで発生する可視光を上記可視光反射層と蛍光体層間で反射させ、有効に可視光を外部に取り出すことができる光学的反射・吸収フィルタを具備する高画質のプラズマ表示装置を実現できる。
【００２０】
さらに、光学的反射・吸収フィルタの開口率が、１５％から２９％の範囲にある構成であってもよい。
【００２１】
このような構成によれば、白表示輝度および明所コントラストを同時に向上させた光学的反射・吸収フィルタを具備する高画質のプラズマ表示装置を実現できる。
【００２２】
また、多機能光学フィルタの透過率ｂ’が３０％以上であり、かつ前記光学的反射・吸収フィルタの開口率が、０．１２２×１００／（ｂ’−０．１７９）から０．３×１００／ｂ’％の範囲にある構成であってもよい。
【００２３】
このような構成によれば、前記光学的反射・吸収フィルタの前面に配設した反射防止、色補正、電磁波遮蔽、近赤外線防止の機能を少なくとも１つ以上有する多機能光学フィルタの透過率に応じて光学的反射・吸収フィルタの開口率を設定することによって、多機能光学フィルタの機能を有効に発揮するとともに、白表示輝度および明所コントラストを同時に向上させた高画質のプラズマ表示装置を実現できる。
【００２４】
また、光学的反射・吸収フィルタの非開口部の平面形状が島状であってもよい。
【００２５】
このような構成によれば、外光を島状の可視光吸収層により吸収し、放電セル内で放電により発生した可視光を島状の可視光反射層と蛍光体層間での反射の繰り返しにより、他の材料に吸収されることなく、外部へ有効に取り出すことができる。これにより、白表示輝度および明所コントラストが向上可能なプラズマ表示装置を実現できる。
【００２６】
さらに、前記光学的反射・吸収フィルタの非開口部の平面形状がメッシュ状であってもよい。
【００２７】
このような構成によれば、外光をメッシュ状の可視光吸収層により吸収し、放電セル内で放電により発生した可視光をメッシュ状の可視光反射層と蛍光体層間での反射の繰り返しにより、他の材料に吸収されることなく、外部へ有効に取り出すことができる。これにより、白表示輝度および明所コントラストが向上可能なプラズマ表示装置を実現できる。
【００２８】
また、前記光学的反射・吸収フィルタの非開口部の平面形状がストライプ状であってもよい。
【００２９】
このような構成によれば、外光をストライプ状の可視光吸収層により吸収し、放電セル内で放電により発生した可視光をストライプ状の可視光反射層と蛍光体層間での反射の繰り返しにより、他の材料に吸収されることなく、外部へ有効に取り出すことができる。これにより、白表示輝度および明所コントラストが向上可能なプラズマ表示装置を実現できる。
【００３０】
また、前記光学的反射・吸収フィルタの開口部の幅あるいは直径の寸法が放電セルに対して５０％以下の構成である。
【００３１】
このような構成によれば、１つの放電セルに対して、少なくとも１つ以上の光学的反射・吸収フィルタの開口部が対応し、白表示輝度および明所コントラストを最適に設定できる光学的反射・吸収フィルタを具備する高画質のプラズマ表示装置を実現できる。
【発明の効果】
【００３２】
本発明のプラズマ表示装置によれば、前面側に可視光吸収層、裏面側に可視光反射層を構成した島状パターンの光学的反射・吸収フィルタをＰＤＰの前面に概ね平行に所定の間隔を置いて配設する、あるいはＰＤＰの前面パネル上に一体的に形成することにより、上記可視光吸収層では外光の一部を吸収して大幅に透過率を減少させることができる。さらに、放電セル内の蛍光体層から発生した可視光が直接開口部を通過、または発生した可視光の一部が可視光反射層によって反射され、蛍光体層や隔壁との反射を繰り返した後、外部へ有効に放出されることで、白表示輝度を大幅に向上できる。したがって、これにより、白表示輝度および明所コントラストを同時に向上できるプラズマ表示装置を実現できる。
【発明を実施するための最良の形態】
【００３３】
以下、本発明の実施の形態について、図面を参照しながら説明する。
【００３４】
（実施の形態１）
図２（Ａ）は本発明の実施の形態１におけるプラズマ表示装置の主要部の斜視図を示し、ＰＤＰに関しては理解しやすくするために前面パネルと背面パネルを分離した状態での構成を示す。図２（Ｂ）は、本発明の実施の形態１における光学的反射・吸収フィルタの前面側から見た島状パターンの拡大平面図である。また、図３は、本発明の実施の形態１における光学的反射・吸収フィルタの構成と製造工程を示すものである。以下、図２および図３を用いて構成と製造方法について説明する。
【００３５】
最初に、前面パネル２に関して説明する。高歪点ガラスあるいはソーダライムガラスからなる前面基板４上に、フォトリソ技術などを用いて、放電用の所定の放電間隙６を介して対向する複数対の透明なＩＴＯの走査電極８および維持電極１０を横方向に延びるストライプ状に形成する。なお、図２には、一対の走査電極８および維持電極１０と、これらに隣接する維持電極１６と走査電極１４のみを表示している。上記維持電極１０と走査電極８の放電間隙６とは反対側の表面端上に、ストライプ状にそれぞれ銀（Ａｇ）ペーストをスクリーン印刷して焼成することによって、走査電極８および維持電極１０上に横方向に延びるストライプ状のＡｇのバス電極１２を形成して表示電極１８を構成する。このようにして、抵抗値が高いＩＴＯ膜上にＡｇなどの金属膜を形成して見かけ上、表示電極１８の抵抗を低減させ、所定の放電間隙６を介して対向させて構成した複数対の表示電極１８を縦方向に並設する。なお、この透明電極の材料として、インジウムスズ酸化物（ＩＴＯ）を用いたが、酸化スズ（ＳｎＯ２）でもよい。次に、Ｐｂ−Ｂ系の低融点ガラスペーストをマスクスクリーン印刷して焼成し、透明な誘電体層２０を形成する。さらに、電子ビーム蒸着法によって、ＭｇＯを主成分とする保護膜２２を形成して前面パネル２を作製する。なお、バス電極の構成材料として、Ａｇ膜、アルミニウム（Ａｌ）膜、クロム（Ｃｒ）／銅（Ｃｕ）／Ｃｒの積層膜も有効である。
【００３６】
次に、背面パネル３６に関して説明する。高歪点ガラスあるいはソーダライムガラスからなる背面基板２４上にＡｇペーストをスクリーン印刷して、データを書き込む複数のアドレス電極２６を縦方向に延び横方向に並設するように形成する。さらに、アドレス電極２６を形成した背面基板２４上に、スクリーン印刷法によってＰｂ−Ｂ系の低融点ガラスペーストを、ダイ塗布方式の塗布法あるいはマスクスクリーン印刷法によって下地誘電体層２８を形成し、焼結する。
【００３７】
次に、下地誘電体層２８上に、アルミナ（Ａｌ２Ｏ３）などの金属粉末を含有させたＰｂ−Ｂ系ガラスのペーストを繰り返してスクリーン印刷して焼成し、縦方向に延び横方向に所定の間隔で並設された縦方向隔壁３０を形成し、次に横方向に配設されて隣接する複数の凹部３２に赤（Ｒ）、緑（Ｇ）、青（Ｂ）の蛍光体を含むインキまたはペーストをそれぞれ塗布して焼成することによって蛍光体層３４を形成し、背面パネル３６を構成する。
【００３８】
このようにして構成した前記前面パネル２および背面パネル３６とを、表示電極１８とアドレス電極２６とが直交するように対向させ、封着用ガラスを用いて張り合わせる。これによって、前面パネルの複数の表示電極と背面パネルの複数のアドレス電極の直交する位置にそれぞれ複数の放電セルが構成される。各放電セル内は高真空に排気された後、ネオン（Ｎｅ）とキセノン（Ｘｅ）の混合ガスを放電ガスとして所定の圧力で充填し、ＰＤＰ３８を作製する。
【００３９】
ＰＤＰ３８の前面側に所定の距離ｄをおいて本発明の光学的反射・吸収フィルタ４０が配置される。所定の距離ｄとしては、光学的反射・吸収フィルタ４０の配置が従来のＰＤＰの諸条件や放熱条件に影響を与えない距離、また、配置する光学的反射・吸収フィルタ４０がＰＤＰからの熱によって影響されない距離が選ばれ、一般的には２．５ｍｍ程度である。
【００４０】
図２（Ｂ）は、図２（Ａ）の円５で示す領域の拡大図を示すものである。本発明の光学的反射・吸収フィルタ４０は、透明な基板４２上に形成された開口部１と非開口部３からなり、複数の非開口部３により島状パターンを構成している。このように、この島状の非開口部３は隣接する非開口部３とは電気的には不連続に構成されている。
【００４１】
次に、図３を用いて、本発明の光学的反射・吸収フィルタの製造方法について説明する。図３（Ａ）では、透明なガラス基板４２の裏面上に、メッキ法によって黒色クロムからなる可視光吸収層４４を形成する。次に、図３（Ｂ）では、真空蒸着法によってアルミニウムからなる可視光反射層４６を形成し、レジスト層を塗布して、所定の島状パターンが形成されるように、フォトリソ技術を用いてレジストパターン４８を形成する。図３（Ｃ）では、レジストパターン４８を溶剤によって除去することによって、可視光吸収層４４と可視光反射層４６の２層構造の島状パターンが透明なガラス基板４２の裏面上に形成される。次に、図３（Ｄ）に示すように、ガラスペーストを塗布して焼成することにより、保護被膜５０が島状パターンを覆うように形成されることで、光学的反射・吸収フィルタ４０を構成した。
【００４２】
なお、可視光吸収層４４として黒色クロムを用いたが、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）の酸化物や化合物が有効であり、特に黒色クロム、黒色ニッケル、錫合金、黒色ロジウム、クロメトール処理を施した亜鉛、酸化銅（Ｃｕ）などの金属酸化物や化合物層が有効である。また、可視光反射層４６としてアルミニウムを用いたが、金（Ａｕ）、銀（Ａｇ）、銅（Ｃｕ）、錫（Ｓｎ）、クロム（Ｃｒ）、チタン（Ｔｉ）、シリコン（Ｓｉ）、モリブデン（Ｍｏ）およびそれらの合金などからなる光反射性に優れた金属膜も有効である。
【００４３】
以上では、メッキ法と真空蒸着法を用いて金属膜を形成し、さらにフォトリソ技術による光学的反射・吸収フィルタを製造する方法について説明したが、この光学的反射・吸収フィルタは塗布方法を用いても可能であり、図４を用いて以下に説明する。
【００４４】
図４は、耐熱性のアクリル樹脂などの基板５２の裏面上に、可視光吸収層５４としてカーボンあるいは無機の黒色微粒子などを有機樹脂中に分散させたペーストを、可視光反射層５６として酸化チタン（ＴｉＯ２）、酸化バリウム（ＢａＯ）、酸化亜鉛（ＺｎＯ）、酸化アルミニウム（Ａｌ２Ｏ３）、酸化鉛（ＰｂＯ２）、酸化マグネシウム（Ｍｇ２Ｏ）などのうちの少なくとも１種以上を含む白色金属酸化物粒子や光散乱性の優れた粒子を有機樹脂中に分散させたペーストを、ダイ塗布方式の塗布法やスクリーン印刷法を用いて島状パターンに塗布することによって形成したものである。その後、有機接着層５８を介して保護被膜のポリエチレンテレフタレート（ＰＥＴ）フィルム６０に圧力を加えて接着し、光学的反射・吸収フィルタ６２を構成した。
【００４５】
なお、基板としてアクリル樹脂基板を用いたが、ＰＥＴやポリエチレンナフタレート（ＰＥＮ）などその他の樹脂フィルムも有効であり、強化ガラスや高歪点ガラスなどのガラスであってもよい。なお、耐熱性を向上させるには、ペーストの母材としてガラス中に上記微粒子を分散させ、基板や保護被膜をガラスに代えることによって大幅に改善できるものである。このように、上記光学的反射・吸収フィルタ４０と光学的反射・吸収フィルタ６２は、製造工程が異なるが動作特性上は基本的には同様である。なお、上記島状パターンを構成する材料は、特に導電性である必要がなく、電気的に不導体であっても良い。
【００４６】
図１は、図２のＡ−Ａ線に沿ったＰＤＰ中の１つの放電セルと光学的反射・吸収フィルタの主要部の拡大断面図を示し、図２の前面パネル２と背面パネル３６とを対向させて接着密閉した状態の構成を示す。以下に、図１を用いて本発明の動作原理について説明する。
【００４７】
外光源６４から光学的反射・吸収フィルタ４０への矢印６６で示す入射光は、光学的反射・吸収フィルタ４０の島状パターンの可視光吸収層４４に吸収される。また、外光源６４からの光学的反射・吸収フィルタ４０への矢印６８で示す入射光は、光学的反射・吸収フィルタ４０の開口部１を通過して放電セル内に入射し、蛍光体層３４によって反射される。その反射光の一部である矢印７２で示す反射光は、外部に放射される。また、反射光の一部である矢印７４で示す反射光は、可視光反射層４６と蛍光体層３４間で反射してから、外部へ矢印７６で示す外光の可視光として放射される。さらに、放電セル内でこの反射が繰り返されて順次、外光の可視光として外部へ放出される。図１で示した範囲では、外部へ出てくる矢印７２と矢印７６で示す可視光の和が観察者の目に入る。
【００４８】
放電セル内で信号に応じて放電により発生した可視光の一部は、直接、光学的反射・吸収フィルタの開口部１を通過する矢印７８で示す可視光として放射される。また、矢印８０で示す可視光は、可視光反射層４６と蛍光体層３４間で反射してから、矢印８２で示す可視光として外部へ放射される。同様に順次、可視光反射層４６と蛍光体層３４間で反射した可視光が放出される。図１で示した範囲では、矢印７８で示す可視光と矢印８２で示す可視光の和が観察者の目に受光される。
【００４９】
したがって、外光は、島状パターンの可視光吸収層４４によって大幅に低減される。一方、信号に応じて放電により発生した可視光は、放電セル内での反射を繰り返して、他の構成材料に吸収されることなく外部に放射される。その結果、白表示輝度と明所コントラストとを大幅に向上させることができるものとなる。
【００５０】
（実施の形態２）
図５（Ａ）は、本発明の実施の形態２におけるプラズマ表示装置の主要部の斜視図を示し、ＰＤＰに関しては理解しやすくするために前面パネルと背面パネルを分離した状態での構成を示す。図５（Ｂ）は、本発明の実施の形態２における光学的反射・吸収フィルタの前面側から見た島状パターンの拡大平面図である。また、図６は、本発明の実施の形態２における光学的反射・吸収フィルタの構成と製造方法を示すものである。以下、図５および図６を用いて構成と製造方法について説明する。なお、実施の形態１と差異のある点に関してのみ説明する。また、実施の形態１と共通の要素には共通の符番を付している。
【００５１】
実施の形態１と本実施の形態２の異なる点は、光学的反射・吸収フィルタをＰＤＰの前面パネル上に形成したことである。すなわち、図５に示すように、実施の形態１では、光学的反射・吸収フィルタ４０をＰＤＰ３８の前面側に所定の距離ｄを置いて配置するのに対して、本実施の形態２では、透明な前面基板４上に島状パターンの光学的反射・吸収フィルタ８４を形成する。以下、図６を用いてその構成と製造方法に関して説明する。
【００５２】
図６では、前面パネル２を構成する前に、前面基板４上に光学的反射・吸収フィルタ８４を一体的に形成するものである。図６（Ａ）では、透明な前面基板４上に、可視光反射層４６を形成し、その上に可視光吸収層４４を形成する。次に、図６（Ｂ）では、レジスト層を塗布して、所定の島状パターンが形成されるように、フォトリソ技術を用いてレジストパターン４８を形成する。図６（Ｃ）では、レジストパターン４８を溶剤により除去することによって、可視光吸収層４４と可視光反射層４６からなる２層構造の島状パターンが、透明な前面基板４の表面に形成される。次に、図６（Ｄ）に示すように、ガラスペーストを塗布して焼成することにより、保護被膜５０が島状パターンを覆うように形成されることで、光学的反射・吸収フィルタ８４を構成した。なお、可視光吸収層４４と可視光反射層４６および保護被膜５０などの材料、膜の形成手段などは実施の形態１と同様であり、説明は省略する。また、動作原理に関しても実施の形態１と本質的に同様であるので説明は省略する。
【００５３】
本実施の形態２のように、ＰＤＰパネル上に光学的反射・吸収フィルタを形成する場合は、放電セルで発生した可視光と隣接する放電セルから発生した可視光との干渉を大幅に減少させることができる。すなわち、実施の形態１では、光学的反射・吸収フィルタは、ＰＤＰの前面パネルから所定の距離ｄだけ離れた位置に配置させるため、この距離ｄの間隔を通過する可視光が存在し、隣接する放電セルからの可視光と干渉してしまうのだが、本実施の形態２による構成であれば、この干渉を大幅に減少できるものとなる。
【００５４】
以上、実施の形態１および実施の形態２では、島状パターンの光学的反射・吸収フィルタの例について説明した。なお、上記島状パターンの各非開口部の平面形状は、四角形以外に、円形、その他の多角形でも良い。また、島状パターンを構成しているマトリックス状の非開口部がＰＤＰの画面に対して縦あるいは横方向に傾いていても有効である。
【００５５】
さらに、島状パターン以外に、非開口部がメッシュ状、ストライプ状でもよい。なお、必ずしもメッシュおよびストライプを構成する非開口部の部材は電気的に連続して接続されている必要がなく、電気的には不連続でもよい。なお、非開口部の平面形状は、四角形、円形、その他の多角形など種々の形状が有効である。また、メッシュおよびストライプの方向はＰＤＰ画面の縦方向および横方向に対して傾斜しても有効である。
【実施例】
【００５６】
以下に、本発明の島状パターンの光学的反射・吸収フィルタの開口率と白表示輝度および明所コントラストとの関係を、実験と理論計算とを組み合わせて詳細に検討した。その結果について説明する。その際、従来の光学フィルタを比較例として、本発明の光学的反射・吸収フィルタ単体の場合と、本発明の光学的反射・吸収フィルタに反射防止、色補正、電磁波遮蔽、近赤外線防止などの機能を有する多機能光学フィルタが加えられた場合の白表示輝度および明所コントラストについて検討した。なお、多機能光学フィルタが加えられた場合については、可視光領域における透過率がｂ’であるとして検討した。
【００５７】
（比較例）
図７は、従来の比較例を計算するモデルを示すプラズマディスプレイ装置の構成断面図である（以下、モデル１と呼ぶ）。各計算パラメータを、外光強度ｍ、黒表示輝度Ｍ、白表示輝度Ｌ、明所コントラストＣ、光学フィルタの透過率ｂ、パネル輝度ｌ（光学フィルタを通さなかった場合の輝度）、蛍光体反射率Ｒ、背景発光時のパネル輝度ｌ０（ＰＤＰでは黒表示時でも背景発光と呼ばれる若干の発光がある）として、以下（数１）〜（数３）に示す。
【００５８】
【数１】
2006030844.tif 000003
【００５９】
【数２】
2006030844.tif 000004
【００６０】
【数３】
2006030844.tif 000005
【００６１】
黒表示輝度Ｍは（数１）で示される。（数１）の導出途中にある第２項ｂｌ０は、ＰＤＰの背景発光によって発生した極めて微小な、従来の光学フィルタを透過した可視光成分であり、第１項に対して無視される。また、白表示輝度Ｌは（数２）で示される。（数２）の導出途中にある第２項ｂ２Ｒｍは、外光が従来の光学フィルタを２度通過した成分を表すが、第１項ｂｌに比較して微小なため、無視することができる。また、明所コントラストＣは（数３）で示される。
【００６２】
（実施例１）
図８は、本発明の島状パターンの光学的反射・吸収フィルタに関しての計算モデルを示すプラズマディスプレイ装置の構成断面図である（以下、モデル２と呼ぶ）。各計算パラメータを、島状パターンを有する光学的反射・吸収フィルタの開口率ａ、外光強度ｍ、黒表示輝度Ｍ’、白表示輝度Ｌ’、明所コントラストＣ’、光学的反射・吸収フィルタの反射率ｒ、パネル輝度ｌ、蛍光体反射率Ｒ、背景発光時のパネル輝度ｌ０として、以下（数４）〜（数６）に示す。
【００６３】
【数４】
2006030844.tif 000006
【００６４】
【数５】
2006030844.tif 000007
【００６５】
【数６】
2006030844.tif 000008
【００６６】
黒表示輝度Ｍ’は（数４）で示される。（数４）の導出途中にある最終項は、ＰＤＰの背景発光によって発生した極めて微小な、本発明による光学的反射・吸収フィルタの開口部を透過した可視光成分であり、第１項に対して無視される。また、白表示輝度Ｌ’は（数５）で示される。（数５）の導出途中にある最終項は、外光が本発明による光学的反射・吸収フィルタの開口部を２度通過した成分を表すが、第１項に比較して微小なため、無視することができる。また、明所コントラストＣ’は（数６）で示される。
【００６７】
（実施例２）
図９は、本発明の島状パターンの光学的反射・吸収フィルタの前面に、反射防止、色補正、電磁波遮蔽、近赤外線防止などの機能を有する多機能光学フィルタを配設した場合の計算モデルを示すプラズマディスプレイ装置の構成断面図である。すなわち、可視光領域が透過率ｂ’である多機能光学フィルタが加えられた計算モデルを示すものである（以下、モデル３と呼ぶ）。
【００６８】
各計算パラメータを、島状パターンを有する光学的反射・吸収フィルタの開口率ａ、外光強度ｍ、黒表示輝度Ｍ’’、白表示輝度Ｌ’’、明所コントラストＣ’’、光学的反射・吸収フィルタの反射率ｒ、パネル輝度ｌ、蛍光体反射率Ｒ、背景発光時のパネル輝度ｌ０、および反射防止、色補正、電磁波遮蔽、近赤外線防止などの機能を有する多機能光学フィルタの透過率ｂ’として、以下（数７）〜（数９）に示す。
【００６９】
【数７】
2006030844.tif 000009
【００７０】
【数８】
2006030844.tif 000010
【００７１】
【数９】
2006030844.tif 000011
【００７２】
上記式の導出過程にある各項の説明は実施例１と同様であるため省略し、最終的な式を示す。黒表示輝度Ｍ’’は（数７）で示され、白表示輝度Ｌ’’は（数８）で示される。また、明所コントラストＣ’’は（数９）で示される。
【００７３】
上記実験では、比較例となる従来のプラズマ表示装置（光学フィルタ付き）の画面に対して垂直方向に、５０ｃｍの距離を置いて輝度計（Ｔｏｐｃｏｎ社  ＢＭ−７）を設置し、白表示輝度および黒表示輝度を視野角２度で測定した。なお、白表示輝度は、黒表示画面の中央部に全画面面積の４％の面積で白表示画面（白表示４％ウィンドウ）を表示して測定した。また、黒表示輝度は、白表示画面の中央部に全画面面積の４％の面積で黒表示画面（黒表示４％ウィンドウ）を表示して測定した。これにより、従来のプラズマ表示装置のパネル輝度ｌ（光学フィルタを通過しなかった場合の輝度）を１０００ｃｄ／ｍ２とした場合、製品（光学フィルタ付き）の白表示輝度Ｌは３００ｃｄ／ｍ２、黒表示輝度Ｍは３．５ｃｄ／ｍ２であった。一方、各ガラス基板上に蛍光体層および可視光反射層を形成して、それらの反射率を測定した。その結果、蛍光体反射率Ｒは０．７、可視光反射層の反射率ｒは、０．８５であった。以下、これらの値を用いて計算した。
【００７４】
まず、（数１）および（数２）より光学フィルタの透過率ｂおよび外光強度ｍを求めた。また、明所コントラストＣは（数３）により計算した。後述する図１０および図１１には、上記測定した白表示輝度Ｌと計算した明所コントラストＣの値が比較例として示されている。
【００７５】
以上に示した計算式を用いて算出した結果について、図１０および図１１を用いて説明する。
【００７６】
図１０は、モデル１とモデル２を計算し、本発明における島状パターンの光学的反射・吸収フィルタの開口率ａに対する白表示輝度Ｌ’と明所コントラストＣ’とを、比較例の白表示輝度Ｌと明所コントラストＣとそれぞれ比べて示したものである。図１０より、本発明における白表示輝度Ｌ’は、光学的反射・吸収フィルタの開口率ａの増加に対して次第に増大し、明所コントラストＣ’は急激に減少しているのが分かる。これにより、本発明における白表示輝度Ｌ’は、光学的反射・吸収フィルタの開口率ａが１５％以上で比較例の光学フィルタの白表示輝度Ｌと同等以上の高さとなる。また、本発明における明所コントラストＣ’は、光学的反射・吸収フィルタの開口率ａが２９％以下で比較例の明所コントラストＣと同等以上の高さとなることが分かった。したがって、白表示輝度の改善を図るには光学的反射・吸収フィルタの開口率ａを１５％以上、明所コントラストの向上を図るには光学的反射・吸収フィルタの開口率ａを２９％以下にする必要があることが分かった。特に、本発明の光学的反射・吸収フィルタでは、開口率ａが１５〜２９％において、比較例の光学フィルタに比べ、白表示輝度および明所コントラストを同時に向上させることができるものであった。
【００７７】
次に、本発明の光学的反射・吸収フィルタの前面に可視光領域における透過率がｂ’である前記多機能光学フィルタが配置された場合に関して、モデル１とモデル３を用いて計算を実行した。この場合、多機能光学フィルタの透過率ｂ’を８０％とした。その結果として、図１１に白表示輝度Ｌ’’と明所コントラストＣ’’とを、比較例の白表示輝度Ｌと明所コントラストＣとそれぞれ比較して示した。
【００７８】
図１１より、本発明における白表示輝度Ｌ’’は、光学的反射・吸収フィルタの開口率ａに対して次第に増加し、明所コントラストＣ’’は急激に減少しているのが分かる。これにより、本発明における白表示輝度Ｌ’’は、光学的反射・吸収フィルタの開口率が２０％以上で比較例の光学フィルタの白表示輝度Ｌと同等以上の高さとなる。また、本発明における明所コントラストＣ’’は、光学的反射・吸収フィルタの開口率が３７％以下で比較例の明所コントラストＣと同等以上の高さとなることが分かった。したがって、白表示輝度の改善を図るには光学的反射・吸収フィルタの開口率が２０％以上、明所コントラストの改善を図るには光学的反射・吸収フィルタの開口率を３７％以下にする必要があることが分かった。特に、本発明の光学的反射・吸収フィルタでは、開口率２０〜３７％で、比較例の光学フィルタに対して、本発明の光学的反射・吸収フィルタの白表示輝度および明所コントラストの性能をともに向上させることができるものであった。
【００７９】
以下、多機能光学フィルタの透過率ｂ’を変えて計算した結果を（表１）に示す。
【００８０】
【表１】
2006030844.tif 000012
【００８１】
（表１）より、光学的反射・吸収フィルタの開口率が１５〜７４％において、白表示輝度および明所コントラストの向上に有効であることが分かった。さらに、上記光学的反射・吸収フィルタの開口率の範囲において、白表示輝度および明所コントラストが同時に向上する最適な設定範囲が存在することが判明した。
【００８２】
すなわち、（表１）より白表示輝度および明所コントラストを同時に向上できる光学的反射・吸収フィルタの開口率ａの範囲が、多機能光学フィルタの透過率ｂ’によって変わることがわかった。さらに、この範囲を連続した形で求めると、０．３＜ｂ’＜１において（数１０）で表現できることが判明した。
【００８３】
【数１０】
2006030844.tif 000013
【００８４】
図１２は、（数１０）の計算結果によって得られた光学的反射・吸収フィルタの開口率ａの最適設定範囲を示すものである。すなわち、上限が０．３／ｂ’を表す曲線８６と、下限が０．１２２／（ｂ’−０．１７９）を表す曲線８８に挟まれた範囲に光学的反射・吸収フィルタの開口率ａを設定することによって、白表示輝度および明所コントラストとを同時に向上でき、高画質のプラズマ表示装置を実現できるものである。
【００８５】
したがって、本発明の実施の形態１および実施の形態２で説明した光学的反射・吸収フィルタ単体の場合には、開口率ａを１５〜２９％に設定することによって、白表示輝度および明所コントラストを同時に向上できる。
【００８６】
さらに、光学的反射・吸収フィルタの前面に、多機能光学フィルタを配設したプラズマ表示装置では、反射防止、色補正、電磁波遮蔽、近赤外線防止などの機能を有するとともに、多機能光学フィルタの透過率ｂ’の値に応じて、光学的反射・吸収フィルタの開口率ａを（数１０）で表す最適範囲に設定することによって、白表示輝度および明所コントラストを同時に向上させたプラズマ表示装置を実現できる。
【００８７】
なお、本質的にＰＤＰに欠陥のない画面を得るには、１個の放電セルに対して少なくとも１個以上の開口部が必要であり、開口部の幅あるいは直径を放電セルの５０％以下にすることが好ましい。５０％を超えて設定すると、１つの放電セルに対して１つ以上の光学的反射・吸収フィルタの開口部が対応しない場合が生じ、画面の精細度に悪影響を及ぼす。
【００８８】
また、以上では電気的に不連続な島状パターンを用いた光学的反射・吸収フィルタの可視光に関する有効性について説明した。さらには、上述の島状パターン、メッシュ状パターン、ストライプ状パターンなどの非開口部を電気的に結合して設置し、その構成材料として導電性材料を用い、光学的反射・吸収フィルタの基板として近赤外線領域で透過率が低い材料を用いることによって、電磁波および近赤外線をそれぞれ防止できるなど、兼用の光学的反射・吸収フィルタとしても有効である。
【産業上の利用可能性】
【００８９】
本発明に係るプラズマ表示装置は、新規な光学的反射・吸収フィルタによって、白表示輝度および明所コントラストを同時に向上させた良質な画面が得られるので、各種表示装置として有用である。
【図面の簡単な説明】
【００９０】
【図１】本発明の実施の形態１における図２に示すプラズマ表示装置のＡ−Ａ線に沿った主要部断面図
【図２】（Ａ）本発明の実施の形態１におけるプラズマ表示装置の構成を示す主要部斜視図（Ｂ）（Ａ）における光学的反射・吸収フィルタの前面側から見た島状パターンの拡大平面図
【図３】本発明の実施の形態１における光学的反射・吸収フィルタの構成と製造工程を示す断面図
【図４】本発明の実施の形態１における光学的反射・吸収フィルタの別の構成と製造工程を示す断面図
【図５】（Ａ）本発明の実施の形態２におけるプラズマ表示装置の構成を示す主要部斜視図（Ｂ）（Ａ）における光学的反射・吸収フィルタの前面側から見た島状パターンの拡大平面図
【図６】本発明の実施の形態２における光学的反射・吸収フィルタの構成と製造工程を示す断面図
【図７】比較例における計算モデル１を示すプラズマディスプレイ装置の構成断面図
【図８】本発明における計算モデル２を示すプラズマディスプレイ装置の構成断面図
【図９】本発明における計算モデル３を示すプラズマディスプレイ装置の構成断面図
【図１０】比較例における計算モデル１および本発明における計算モデル２の計算結果を示す特性図
【図１１】比較例における計算モデル１および本発明における計算モデル３の計算結果を示す特性図
【図１２】本発明における白表示輝度と明所コントラストとを同時に向上させるための最適な光学的反射・吸収フィルタの開口率範囲を示す特性図
【図１３】従来の発明によるプラズマ表示装置の構成を示す主要部断面図
【符号の説明】
【００９１】
１    開口部
２，８００    前面パネル
３    非開口部
４    前面基板
５    円
６    放電間隙
８，１４    走査電極
１０，１６    維持電極
１２    バス電極
１８    表示電極
２０    誘電体層
２２    保護膜
２４，８０４    背面基板
２６，８０６    アドレス電極
２８，８０８    下地誘電体層
３０，８１０    隔壁
３２    凹部
３４，８１２    蛍光体層
３６，８０２    背面パネル
３８，８１６    プラズマ表示パネル（ＰＤＰ）
４０，６２，８４    光学的反射・吸収フィルタ
４２，５２，８１８    基板
４４，５４    可視光吸収層
４６，５６    可視光反射層
４８    レジストパターン
５０    保護被膜
５８    有機接着層
６０    ポリエチレンテレフタレート（ＰＥＴ）フィルム
６４，８２４    外光源
６６，６８，７２，７４，７６，７８，８０，８２，８２６，８２８，８３０，８３２，８３４，８３６    矢印
８６，８８    曲線
８１４    放電セル
８２０    反射防止膜
８２２    光学フィルタ
【図１】
2006030844.tif 000014
【図２】
2006030844.tif 000015
【図３】
2006030844.tif 000016
【図４】
2006030844.tif 000017
【図５】
2006030844.tif 000018
【図６】
2006030844.tif 000019
【図７】
2006030844.tif 000020
【図８】
2006030844.tif 000021
【図９】
2006030844.tif 000022
【図１０】
2006030844.tif 000023
【図１１】
2006030844.tif 000024
【図１２】
2006030844.tif 000025
【図１３】
2006030844.tif 000026